(57)【要約】【課題】  基板に搭載されているＲＯＭを不正に交換する行為を検出することで、不正行為を抑止する。【解決手段】  基板に搭載されている半導体素子（ＲＯＭ）に巻きつけられた電線１１と、前記電線が断線したかどうかを検知する断線検知部２０とを備える。前記半導体素子を取り外す際には前記電線が切断され、これを前記断線検知部で検知するので、前記半導体素子を不正に交換する行為を確実に検知することができるようになり、当該不正行為を抑止できる。【選択図】        図２
2009082454.tif 000002
【特許請求の範囲】
【請求項１】
脱着可能な半導体素子が搭載され、遊技に係る処理を行う基板を備える遊技機において、前記半導体素子に巻きつけられた電線と、前記電線が断線したかどうかを検知する断線検知部とを備え、前記電線の両端は前記基板に設けられた複数の接点にそれぞれ固定されていることを特徴とする遊技機。
【請求項２】
前記半導体素子は、板状の本体と、前記本体の互いに向かい合う一方の両側面側にそれぞれ設けられた複数の端子とを含み、
前記電線は、前記半導体素子の本体の表面、前記両側面のうち少なくともひとつの側面、裏面に沿って、かつ、前記複数の端子の間を通って、前記半導体素子の前記両側面に交差する方向に少なくとも１回巻きつけられていることを特徴とする請求項１記載の遊技機。
【請求項３】
前記半導体素子は、板状の本体と、前記本体の互いに向かい合う一方の両側面側にそれぞれ設けられた複数の端子とを含み、
前記電線は、前記半導体素子の本体の表面、前記複数の端子が設けられていない他方の両側面のうち少なくともひとつの側面、裏面に沿って、前記半導体素子の前記複数の端子が設けられている前記両側面に略平行な方向に少なくとも１回巻きつけられていることを特徴とする請求項１記載の遊技機。
【請求項４】
前記半導体素子を脱着可能に搭載するソケットを備え、
前記半導体素子は、板状の本体と、前記本体の互いに向かい合う一方の両側面側にそれぞれ設けられた複数の端子とを含み、
前記ソケットは、前記半導体素子の前記複数の端子に対応する複数の端子を含み、
前記電線は、前記半導体素子の本体の表面、前記両側面のうち少なくともひとつの側面に沿って、かつ、前記ソケットの前記複数の端子の間を通り、前記ソケットの裏面に沿って、前記半導体素子の前記両側面に交差する方向に少なくとも１回巻きつけられていることを特徴とする請求項１記載の遊技機。
【請求項５】
前記半導体素子を脱着可能に搭載するソケットを備え、
前記半導体素子は、板状の本体と、前記本体の互いに向かい合う一方の両側面側にそれぞれ設けられた複数の端子とを含み、
前記ソケットは、前記半導体素子の前記複数の端子に対応する複数の端子を含み、
前記電線は、前記半導体素子の本体の表面、前記複数の端子が設けられていない他方の両側面のうち少なくともひとつの側面、前記複数の端子が設けられていない前記ソケットの少なくともひとつの側面、前記ソケットの裏面に沿って、前記半導体素子の前記複数の端子が設けられている前記両側面に略平行な方向に少なくとも１回巻きつけられていることを特徴とする請求項１記載の遊技機。
【請求項６】
前記断線検知部は、電源と、前記電源に接続された抵抗と、前記抵抗の両端の電圧を比較するコンパレータとを備え、
前記電線の一方の端に前記電源が接続され、他方の端に前記抵抗が接続され、
前記コンパレータは、前記抵抗の両端の電圧の低下を検知したとき前記電線が断線した旨の信号を出力する、ことを特徴とする請求項１乃至請求項５いずれかに記載の遊技機。
【発明の詳細な説明】
【技術分野】
【０００１】
この発明は、スロットマシン等の遊技機に関する。特に、ＣＰＵなどの電子部品を搭載し、遊技に係る処理を実行する基板（メイン基板）や演出処理を実行する基板（サブ基板）に搭載されている半導体素子（ＲＯＭなど）の不正な交換を防止できる遊技機に関する。
【背景技術】
【０００２】
パチンコ店などの遊技場に設置されているパチンコ機やスロットマシン等の遊技機は、パチンコ球やメダル等の遊技媒体を使用して遊技を行うものである。遊技媒体には一定の価値が与えられて、遊技を行って獲得した遊技媒体を種々の景品に交換することができる。遊技機は、その筐体内部に、遊技媒体の供給に基づいて作動させるランプ装置や音声発生装置などの様々な各種駆動装置及びこれら駆動装置を制御するための制御回路装置を備えており、遊技者が遊技を行う際にこれらを適宜作動させることによって遊技を興趣に溢れたものとしている。また、近年では、リール表示装置または液晶表示装置等の図柄可変表示装置を内蔵し、所定条件を満たしたときにその表示を変動させ、その後に停止表示させることで、所定の識別情報（図柄）を変動表示するものが主流となっている。これらの装置は制御回路装置によって制御されている。
【０００３】
最近の遊技機の内部に配設されている制御回路装置は、基板上に設けられたＣＰＵ（central processing unit）が、制御プログラムに従って電子制御を行うものが一般的である。制御プログラムは、マスクＲＯＭ（read only memory）のような基板上に装着されたＩＣチップにデータとして記憶されており、ＣＰＵは、遊技状態に応じてＩＣチップから制御プログラムのデータを逐次読み出して実行することによって制御を行っている。
【０００４】
遊技場に設置される遊技機は、制御プログラムが不正に改変されないよう管理されており、制御回路装置（メイン基板）を収納ケースに収納し、その収納ケースを、本体枠の所定部材に組み付けるなどして、メイン基板及び制御プログラムを記憶するＲＯＭが不正に交換されないように配慮がなされている。さらに、ＲＯＭには封印シールが貼付されるなどして、装着されている基板上から容易に外すことができないようになっている。
【０００５】
しかしながら、上記のようにメイン基板をケースに収納したり、ＲＯＭに封印シールを貼付するようにしても、メイン基板やＲＯＭの不正な交換は後を絶たない。
【０００６】
【特許文献１】特願２００４−３５８０７６号公報  この文献に開示された発明は、制御プログラムの不正な改変を確実に防止することを目的とし、メイン基板を収納するカバーの開放を検出する検出手段（スイッチ）を設け、カバーの開放を検出したときその旨を報知することを開示する。
【発明の開示】
【発明が解決しようとする課題】
【０００７】
特許文献１では、カバーの開放を検知し報知するので、メイン基板やＲＯＭの不正な交換を防止するという点で一定の効果があった。しかし、メイン基板を収納するケースに穴を穿ち、そこを通してＲＯＭの不正な交換が行われることもある。このような不正行為に対して、特許文献１のやり方では対処は難しかった。
【０００８】
この発明は上記課題を解決するためになされたもので、半導体素子（ＲＯＭ）を取り外したことを確実に検知することができ、当該不正行為を効果的に防止できる遊技機を提供することを目的とする。
【課題を解決するための手段】
【０００９】
この発明は、脱着可能な半導体素子が搭載され、遊技に係る処理を行う基板を備える遊技機において、前記半導体素子に巻きつけられた電線と、前記電線が断線したかどうかを検知する断線検知部とを備え、前記電線の両端は前記基板に設けられた複数の接点にそれぞれ固定されているものである。
【００１０】
前記半導体素子は、板状の本体と、前記本体の互いに向かい合う一方の両側面側にそれぞれ設けられた複数の端子とを含み、
前記電線は、前記半導体素子の本体の表面、前記両側面のうち少なくともひとつの側面、裏面に沿って、かつ、前記複数の端子の間を通って、前記半導体素子の前記両側面に交差する方向に少なくとも１回巻きつけられている、ように構成してもよい。
【００１１】
前記半導体素子は、板状の本体と、前記本体の互いに向かい合う一方の両側面側にそれぞれ設けられた複数の端子とを含み、
前記電線は、前記半導体素子の本体の表面、前記複数の端子が設けられていない他方の両側面のうち少なくともひとつの側面、裏面に沿って、前記半導体素子の前記複数の端子が設けられている前記両側面略平行な方向に少なくとも１回巻きつけられている、ように構成してもよい。
【００１２】
前記半導体素子を脱着可能に搭載するソケットを備え、
前記半導体素子は、板状の本体と、前記本体の互いに向かい合う一方の両側面側にそれぞれ設けられた複数の端子とを含み、
前記ソケットは、前記半導体素子の前記複数の端子に対応する複数の端子を含み、
前記電線は、前記半導体素子の本体の表面、前記両側面のうち少なくともひとつの側面に沿って、かつ、前記ソケットの前記複数の端子の間を通り、前記ソケットの裏面に沿って、前記半導体素子の前記両側面に交差する方向に少なくとも１回巻きつけられている、ように構成してもよい。
【００１３】
前記半導体素子を脱着可能に搭載するソケットを備え、
前記半導体素子は、板状の本体と、前記本体の互いに向かい合う一方の両側面側にそれぞれ設けられた複数の端子とを含み、
前記ソケットは、前記半導体素子の前記複数の端子に対応する複数の端子を含み、
前記電線は、前記半導体素子の本体の表面、前記複数の端子が設けられていない他方の両側面のうち少なくともひとつ側面、前記複数の端子が設けられていない前記ソケットの少なくともひとつの側面、前記ソケットの裏面に沿って、前記半導体素子の前記複数の端子が設けられている前記両側面に略平行な方向に少なくとも１回巻きつけられている、ように構成してもよい。
【００１４】
前記断線検知部は、電源と、前記電源に接続された抵抗と、前記抵抗の両端の電圧を比較するコンパレータとを備え、
前記電線の一方の端に前記電源が接続され、他方の端に前記抵抗が接続され、
前記コンパレータは、前記抵抗の両端の電圧の低下を検知したとき前記電線が断線した旨の信号を出力する、ように構成してもよい。
【発明の効果】
【００１５】
この発明は、半導体素子に巻きつけられた電線と、前記電線が断線したかどうかを検知する断線検知部とを備え、前記半導体素子を取り外す際には前記電線が切断され、これを前記断線検知部で検知するので、前記半導体素子を不正に交換する行為を確実に検知することができるようになり、当該不正行為を抑止できる。
【発明を実施するための最良の形態】
【００１６】
この発明の実施の形態に係る遊技機について図面を参照して説明する。
図１は扉を閉めた状態を示すスロットマシンの正面図を示す。
【００１７】
図１中、１００はスロットマシンを示すもので、このスロットマシン１００は、図１に示すように、スロットマシン本体１２０と、このスロットマシン本体１２０の前面片側にヒンジ等により開閉可能に取り付けられた扉１３０とを備えている。前記扉１３０の前面には、図１に示すように、ほぼ中央にゲーム表示部１３１を設け、ゲーム表示部１３１の右下隅部に、遊技者がメダルを投入するためのメダル投入口１３２を設け、メダル投入口１３２のさらに下側には、メダル投入口１３２から投入され、詰まってしまったメダルをスロットマシン１００外に強制的に排出するためのリジェクトボタン１３３が設けられている。
【００１８】
また、前記ゲーム表示部１３１の左下方には、ゲームを開始するためのスタートスイッチ１３４を設けてあり、３つの回転リール１３６のそれぞれに対応して３つのストップボタン１４０を設けてある。扉の下端部中央には、メダルの払出し口１３５を設けてある。
【００１９】
図２はスロットマシン１００の電気的な概略構造を示すブロック図である。この図において電源系統についての表示は省略されている。スロットマシン１００は、その主要な処理装置としてメイン基板１とこれからコマンドを受けて動作するサブ基板２とを備える。なお、少なくともメイン基板１は、外部から接触不能となるようにケース内部に収容され、これら基板を取り外す際に痕跡が残るように封印処理が施されている。
【００２０】
メイン基板１は、遊技者の操作を受けて内部抽選を行ったり、回転リール１３６の回転・停止やメダルの払い出しなどの処理を行うためのものである。メイン基板１は、予め設定されたプログラムに従って制御動作を行うＣＰＵと、前記プログラムを記憶する記憶手段であるＲＯＭおよび処理結果などを一時的に記憶するＲＡＭを含む。
【００２１】
メイン基板１に搭載されているＲＯＭ（半導体素子）には電線（セキュリティ線）１１が巻きつけられるとともに、電線１１の両端はメイン基板１に固定されている。したがって、ＲＯＭを取り外すためには電線１１を切断しなければならない。メイン基板１には、さらに、電線１１の断線を検出する断線検知部２０が設けられていて、その検出出力は外部（例えば、各遊技機の状態を監視しているホールコンピュータ）へ出力されている。電線１１及び断線検知部２０については、後にさらに説明を加える。
【００２２】
サブ基板２は、メイン基板１からコマンド信号を受けて内部抽選の結果を報知したり各種演出を行うためのものである。サブ基板２は、前記コマンド信号に応じた予め設定されたプログラムに従って制御動作を行うＣＰＵと、前記プログラムを記憶する記憶手段であるＲＯＭおよび処理結果などを一時的に記憶するＲＡＭを含む。コマンドの流れはメイン基板１からサブ基板２への一方のみであり、逆にサブ基板２からメイン基板１へコマンド等が出されることはない。
【００２３】
メイン基板１にはスタートスイッチ１３４，ストップボタン１４０，リールユニット（リール駆動装置を含む）７０，リール位置検出回路７１、ホッパ駆動部８０、ホッパ８１及びホッパ８１から払い出されたメダルの枚数を数えるためのメダル検出部８２が接続されている。サブ基板２には液晶表示装置の制御基板２００、スピーカ２０１、ＬＥＤ基板２０２などの周辺基板（ローカル基板）が接続されている。
【００２４】
上述のように、メイン基板１及びサブ基板２は、ＣＰＵを中心に構成され、ＲＯＭ、ＲＡＭ、Ｉ／Ｏ等を備えている。そして、ＣＰＵ（処理部）が遊技者の操作を受けてＲＯＭ（記憶部）に記憶されたプログラムを読み込むことで所定の動作を行う。具体的には、スタートスイッチ１３４及びストップボタン１４０の操作に基づきリールユニット７０に内蔵される３つの回転リール１３６の回転及び停止を制御するとともに、ランプやスピーカ等の表示を制御する。ＣＰＵが動作する際に必要な一時的なデータなどはＲＡＭ（一般にＲＡＭは揮発性メモリであり、その電源断によりデータは原則失われるが、本遊技機においてはその一部又は全部についてバッテリなどのバックアップ電源が用意されていることがあり、この場合は電源断でもデータは失われない）に記憶される。ＣＰＵはＲＯＭに記録されたプログラムに従って所定の動作を行うとともに、処理に必要な一時的なデータをＲＡＭに記録するとともに記録されたデータを必要に応じて読み出して参照する。
【００２５】
スロットマシンで遊技を楽しもうとする遊技者は、まずメダル貸機（図示しない）等から遊技媒体であるメダルを借り、メダル投入装置のメダル投入口１３２に直接メダルを入れることができる。スタートスイッチ１３４は回転リール１３６の斜め下方に位置するレバーであって、遊技メダルの投入を条件に、リールユニット７０の駆動を開始させる。リールユニット７０は、ストップボタン１４０によりその駆動が停止される。リールユニット７０は、三個の回転リール１３６から構成されている。そして、各回転リール１３６は、合成樹脂からなる回転ドラムと、この回転ドラムの周囲に貼付されるテープ状のリールテープとを備えている。このリールテープの外周面には、複数個（例えば２１個）の図柄が表示されている。
【００２６】
図３（ａ）は、発明の実施の形態に係る断線検知部２０の構成例を示し、図３（ｂ）はその動作の説明図を示す。
【００２７】
断線検知部２０は、直流電源（電池）２１と、直流電源２１に直列に接続される抵抗２２と、抵抗２２の両端の電位差を監視する装置（コンパレータ）２３とを備える。直流電源２１と抵抗２２にはそれぞれ電線１１が接続される。これらは閉回路を構成し、電池２１の電流は抵抗２２と電線１１を通って流れる。ＲＯＭが取り外されて、電線１１が切断されると電流が流れなくなる。
【００２８】
コンパレータ２３は抵抗２２の両端の電位差が予め定められた閾値よりも大きいとき、例えばデジタルの高レベルの信号を出力し、そうでないときは低レベルの信号を出力する（図３（ｂ））。閾値は、例えば直流電源２１の電圧の半分程度にしておく。正常な状態では抵抗２２及び電線１１を通って電流が流れるので、抵抗２２の両端には電位差が生じている（電線１１の抵抗及び直流電源２１の内部抵抗をゼロ、コンパレータ２３の入力インピーダンスを無限大とすれば、当該電位差は直流電源２１の電圧程度）。したがって、コンパレータ２３は高レベルの信号を出力する。しかし、電線１１が切断されて電流が流れなくなると、抵抗２２の両端の電位差はゼロになるので、コンパレータ２３は低レベルの信号を出力する。コンパレータ２３の低レベルの出力が、ＲＯＭが取り外されたことを示す断線信号としてホールコンピュータへ送られる。この信号を受けると、ホールコンピュータで異常を報知する。係員に注意を促すことで不正行為を未然に防止することができる。断線信号を受けて、メイン基板１の遊技処理を中止するようにしてもよい。
【００２９】
次に、図４乃至図７を参照して、電線１１を巻きつけた状態について説明を加える。
説明の便宜上、まず、電線を巻きつけていない状態の半導体素子（ＲＯＭなど）について説明する。ここで対象となる半導体素子はソケットなどに脱着可能に取り付けられたものであり、典型的にはＲＯＭである。図４（ａ）は、電線１１を巻きつけていない状態の半導体素子３０とソケット３１の平面図、同図（ｂ）は、同じく正面図を示す。
【００３０】
同図の半導体素子３０は、いわゆるＤＩＰ（Dual In Line）パッケージのものを示しているが、本発明はこれに限定されない。ＤＩＰとは、ICチップのパッケージ方式の一つであり、平たい長方形のパッケージの両方の長辺に、外部入出力用の端子（ピン）３０ａを並べたものである。パッケージ方式としてはポピュラーなものである。なお、半導体素子３０のパッケージは正方形であってもよい。
【００３１】
ソケット３１は、半導体素子３０を脱着可能に搭載するものであり、通常は、半導体素子３０と同じ数の端子（ピン）３１ａを備えている。端子３１ａの一端は、例えばメイン基板１の基部（ベース）１ａにハンダなどで固定されている。その他端には、半導体素子３０の端子３０ａを受け入れる接点（図示せず）が設けられている。半導体素子３０を同図のようにソケット３１に挿入すると、メイン基板１との電気的な接続が完成する。同時に、ソケット３１は、半導体素子３０をしっかりと保持するようになる。
【００３２】
図４（ｃ）は、電線１１を巻きつけた状態の半導体素子３０とソケット３１の平面図、同図（ｄ）は、同じく正面図、同図（ｅ）は、同図（ｃ）のＡ−Ａ矢視断面図を示す。
【００３３】
これらの図からわかるように、電線１１は、複数回（同図の例ではほぼ端子３０ａの数）半導体素子３０及びソケット３１に巻きつけられている。具体的には、電線１１は、半導体素子３０の表面、端子が設けられている一方の側面、ソケット３１の一方の側面、ソケット３１の端子３１ａの間、ソケット３１の裏面、その他方の側面、半導体素子３０の他方の側面の順番で、複数回巻きつけられている。そして、電線１１の両端は基板の基部１ａに設けられた２つの接点（スルーホール）１ｂにハンダなどで固定されている。２つの接点１ｂには、図３の回路に接続されている。なお、ショートを避けるために、電線１１は絶縁被覆されていることが望ましい。電線１１にはなるべく細いものを用い、半導体素子３０を少しでも外そうとしたとき、直ちに切れるようにしておくとよい。
【００３４】
図４（ｃ）乃至（ｅ）のように電線１１を巻きつけることで脱着可能な半導体素子３０と固定されているソケット３１を一体化し、電線１１を外さない限り半導体素子３０を交換できないようにできる。しかも、電線１１の両端は固定されているので、電線を外すためには電線１１をどこかで切断せざるを得ない。したがって、いわゆる不正なＲＯＭ交換を確実に検知することができる。
【００３５】
図５（ａ）は、電線１１を巻きつけた状態の半導体素子３０の平面図、同図（ｂ）は、同じく正面図、同図（ｃ）は、同図（ａ）のＡ−Ａ矢視断面図を示す。
【００３６】
図５は、例えばコンタクトを基部１ａに埋め込むことで、ソケット３１を用いずに半導体素子３０を直接基板に取り付けた状態を示す。このような場合は、同図に示すように、電線１１を、半導体素子３０の表面、その一方の側面、その端子３０ａの間、その裏面、その他方の側面の順番で、複数回巻きつける。そして、電線１１の両端を基板の基部１ａに設けられた２つの接点１ｂにハンダなどで固定する。
【００３７】
図５の場合も同様の作用効果を奏する。なお、電線１１の巻きつけ回数は何回でもよく、最低限１回であればよい。
【００３８】
図６は変形例を示す。図４及び図５では、２つの接点１ｂを半導体素子３０を挟んで両側に設けていたが、２つの接点１ｂを同じ側に設けるようにしてもよい。
【００３９】
図６（ａ）は、半導体素子３０とソケット３１を一緒に電線１１を巻きつける例を示す。
【００４０】
図６（ｂ）は、半導体素子３０のみに電線１１を巻きつける例を示す。半導体素子３０がソケット３１上に搭載されている場合でも、半導体素子３０のみに電線１１を巻きつけてよい。このようにしても、半導体素子３０の取り外しを検出できる。なお、図４（ｃ）〜（ｅ）の場合にも、図６（ｂ）の巻き付け方を適用できる。
【００４１】
図６（ｃ）は、ソケット３１がない状態を示す。図５と同様に巻きつける。
【００４２】
図７は別の変形例を示す。図４等では電線１１を端子３０ａ又は３１ａの間を通すようにしていたが、図７に示すように半導体素子３０の長辺（半導体素子３０のパッケージの互いに向かい合う２つの側面であって端子３０ａの設けられていない方）に平行に電線１１を巻きつけるようにしてもよい。
【００４３】
同図（ｃ）は、半導体素子３０とソケット３１を一緒に巻きつける例を示し、同図（ｄ）は、半導体素子３０のみに巻きつける例を示す。
【００４４】
なお、図面では、電線１１を見易くするために、電線１１が半導体素子３０などから多少離れた状態（いわゆる「ゆるく」巻きつけた状態）を示すが、実際には、電線１１を半導体素子３０などに密着させる（いわゆる「きつく」巻きつける）ことが望ましい。このようにすれば電線１１に加わる張力が大きくなり、半導体素子３０を外そうとして力を少しでも加えると電線１１が切断するようにできる。
【００４５】
本発明の実施の形態によれば、半導体素子３０に巻きつけられた電線１１の切断により半導体素子３０の交換を検知して、その旨の信号を外部へ出力することができる。当該信号を受けてホールコンピュータで警報を発生したり、遊技機（メイン基板）で遊技処理を中止することができる。不正行為に対して監視を強めこれを未然に防止したり、不正行為者に対して利益を与えないようにできる。本発明の実施の形態により、不正行為を抑止することができるようになる。
【００４６】
本発明は、以上の実施の形態に限定されることなく、特許請求の範囲に記載された発明の範囲内で、種々の変更が可能であり、それらも本発明の範囲内に包含されるものであることは言うまでもない。
【図面の簡単な説明】
【００４７】
【図１】遊技機（スロットマシン）の正面図である。
【図２】発明の実施の形態に係る遊技機のブロック図である。
【図３】発明の実施の形態に係る断線検知部の構成例及び動作の説明図である。
【図４】発明の実施の形態に係る電線の巻きつけ方の説明図である。
【図５】発明の実施の形態に係る電線の他の巻きつけ方の説明図である。
【図６】発明の実施の形態に係る電線の他の巻きつけ方の説明図である。
【図７】発明の実施の形態に係る電線の他の巻きつけ方の説明図である。
【符号の説明】
【００４８】
１    メイン基板
１ａ  基部
１ｂ  接点（スルーホール）
２    サブ基板
１１    電線（セキュリティ線）
２０    断線検知部
２１    直流電源
２２    抵抗
２３    コンパレータ
３０    半導体素子
３０ａ  端子（ピン）
３１    ソケット
３１ａ  端子８ピン）
【図１】
2009082454.tif 000003
【図２】
2009082454.tif 000004
【図３】
2009082454.tif 000005
【図４】
2009082454.tif 000006
【図５】
2009082454.tif 000007
【図６】
2009082454.tif 000008
【図７】
2009082454.tif 000009